(57)【要約】【課題】  様々な使用者の体型や使用状態に対応するとともに、健康増進を図ろうとする者が手軽に利用できる身体伸張器具を提供することにある。【解決手段】  使用者Ｕが横たわるための寝台１，２と、当該使用者Ｕの足先Ｆａ，Ｆｂを保持するための足側固定部３とから構成し、前記寝台１，２における使用者Ｕの頭が位置する箇所には、当該使用者Ｕの顎Ｈを保持して前記箇所に留めておくための保持部材２２，２３を具備しており、前記足側固定部３は、各足先Ｆａ，Ｆｂをホールドする各足掛止部４ａ，４ｂと、当該各足掛止部４ａ，４ｂから前方に向けて延長し且つ使用者Ｕが横たわった状態のまま手Ｋａ，Ｋｂで握ることができる各ハンドル５ａ，５ｂと、当該各ハンドル５ａ，５ｂに連動する前記各足掛止部４ａ，４ｂを前後動可能な状態に支える基部６とからなっている。【選択図】      図５
2006122108.tif 000002
【特許請求の範囲】
【請求項１】
使用者（Ｕ）が横たわるための寝台（１，２）と、当該使用者（Ｕ）の足先（Ｆａ，Ｆｂ）を保持するための足側固定部（３）とから構成し、
前記寝台（１，２）における使用者（Ｕ）の頭が位置する箇所には、当該使用者（Ｕ）の顎（Ｈ）を保持して前記箇所に留めておくための保持部材（２２，２３）を具備しており、
前記足側固定部（３）は、各足先（Ｆａ，Ｆｂ）を保持するための各足掛止部（４ａ，４ｂ）と、当該各足掛止部（４ａ，４ｂ）から前方に向けて延長し且つ使用者（Ｕ）が横たわった状態のまま手（Ｋａ，Ｋｂ）で握ることができる各ハンドル（５ａ，５ｂ）と、当該各ハンドル（５ａ，５ｂ）に連動する前記各足掛止部（４ａ，４ｂ）を前後動可能な状態に支える基部（６）とからなり、
当該各足掛止部（４ａ，４ｂ）の下面には上支持体（７）を配設する一方、基部（６）の上面には前記上支持体（７）に相対向する下支持体（８）を配設し、さらに上支持体（７）と下支持体（８）との間には球体（９）を介在し、前記上支持体（７）には、上向きに窪み且つ前後に延長した上ガイド穴（１０ａ）を、また下支持体（８）には下向きに窪み且つ前後に延長した下ガイド穴（１０ｂ）をそれぞれ設け、前記球体（９）が各ガイド穴（１０ａ，１０ｂ）にそれぞれ当接しており、
前記基部（６）の上面側における下支持体（８）の左右いずれかの箇所の前後側に各々配設した各起立部材（１１，１１）と、当該各起立部材（１１，１１）間に架設する規制部材（１２）と、各足掛止部（４ａ，４ｂ）下面側に備えた垂下部材（１３）と、該垂下部材（１３）において各足掛止部（４ａ，４ｂ）下面側との間に前記規制部材（１２）を上下に挟むように取り付けられ且つ該規制部材（１２）に沿って前記各足掛止部（４ａ，４ｂ）と共に移動可能とする滑り部材（１４）とを備えていることを特徴とする身体伸張器具。
【請求項２】
前記寝台（１，２）における使用者（Ｕ）が横たわった際の臀部が位置する箇所には、当該臀部を左右に揺らす腰揺動部（３２）を備えており、
前記腰揺動部（３２）は、座板（３３）と底板（３５）とを上下に重ねてなり、
前記底板（３５）の天面側において配設した下支持体（４３）と、前記座板（３３）の底面側における当該下支持体（４３）に相対向する上支持体（４２）と、当該上下各支持体（４２，４３）間に介在する球体（４４ｂ）とを備え、
座板（３３）と底板（３５）との間に設ける上支持体（４２）は、上向きに窪み且つ前後に延長した上ガイド穴（４６ｂ）を、また下支持体（４３）には下向きに窪み且つ前後に延長した下ガイド穴（４７ｂ）をそれぞれ設け、前記球体（４４ｂ）が上下各ガイド穴（４６ｂ，４７ｂ）にそれぞれ当接しており、
前記底板（３５）天面側における下支持体（４３）の前後いずれかの箇所の左右側に各々
配設した各起立部材（４８ｂ，４８ｂ）と、当該各起立部材（４８ｂ，４８ｂ）間に架設する規制部材（４９ｂ）と、座板（３３）座面側に備えた垂下部材（５０ａ，５０ａ）と、該垂下部材（５０ａ，５０ａ）において座板（３３）底面側との間に前記規制部材（４９ｂ）を上下に挟むように取り付けられ且つ該規制部材（４９ｂ）に沿って前記座板（３３）とともに移動可能とする滑り部材（５１ｂ）とを備えていることを特徴とする請求項１記載の身体伸張器具。
【請求項３】
前記寝台（１，２）における使用者（Ｕ）が横たわった際の臀部が位置する箇所には、当該臀部を左右に揺らす腰揺動部（３２）を備えており、
前記腰揺動部（３２）は、座板（３３）と中板（３４）と底板（３５）とを上下に三段重ねてなり、
前記中板（３４）及び底板（３５）の各天面側において各々配設した各下支持体（４１，４３）と、前記中板（３４）及び底板（３５）の底面側における当該各下支持体（４１，４３）に相対向する上支持体（４０，４２）と、当該各上下支持体（４０，４１，４２，４３）間に介在する球体（４４ａ，４４ｂ）とを備え、
座板（３３）と中板（３４）との間に設ける上支持体（４０）は、上向きに窪み且つ前後に延長した上ガイド穴（４６ａ）を、また下支持体（４１）には下向きに窪み且つ前後に延長した下ガイド穴（４７ａ）をそれぞれ設け、前記球体（４４ａ）が上下各ガイド穴（４６ａ，４７ａ）にそれぞれ当接しており、
また中板（３４）と底板（３５）との間に設ける前記上支持体（４１）は、上向きに窪み且つ左右に延長した上ガイド穴（４６ｂ）を、また下支持体（４３）には下向きに窪み且つ左右に延長したガイド穴（４７ｂ）をそれぞれ設け、前記球体（４４ｂ）が上下各ガイド穴（４６ｂ，４７ｂ）にそれぞれ当接しており、
前記中板（３４）天面側における下支持体（４１）の前後いずれかの箇所の左右側に各々
配設した各起立部材（４８ａ，４８ａ）と、当該各起立部材（４８ａ，４８ａ）間に架設する規制部材（４９ａ）と、座板（３３）底面側に備えた垂下部材（５０ａ，５０ａ）と、該垂下部材（５０ａ，５０ａ）において座板（３３）底面側との間に前記規制部材（４９ａ）を上下に挟むように取り付けられ且つ該規制部材（４９ａ）に沿って前記座板（３３）とともに移動可能とする滑り部材（５１ａ）とを備え、
また前記底板（３５）天面側における下支持体（４３）の左右いずれかの箇所の前後側に
各々配設した各起立部材（４８ｂ，４８ｂ）と、当該各起立部材（４８ｂ，４８ｂ）間に架設する規制部材（４９ｂ）と、中板（３４）底面側に備えた垂下部材（５０ｂ，５０ｂ）と、該垂下部材（５０ｂ，５０ｂ）において中板（３４）底面側との間に前記規制部材（４９ｂ）を上下に挟むように取り付けられ且つ該規制部材（４９ｂ）に沿って前記中板（３４）とともに移動可能とする滑り部材（５１ｂ）とを備えていることを特徴とする請求項１記載の身体伸張器具。
【請求項４】
前記各足掛止部（４ａ，４ｂ）間には、当該各足掛止部（４ａ，４ｂ）を個々に独立して前後動させるか、又は当該各足掛止部（４ａ，４ｂ）を同時に前後動させるのかを適宜切り替えられる連結具（１５）を介在していることを特徴とする請求項１、２又は３記載の身体伸張器具。
【請求項５】
前記各足掛止部（４ａ，４ｂ）における使用者（Ｕ）の足先（Ｆａ，Ｆｂ）を保持する箇所には、上下に貫通した孔（２１）を設け、足掛止部（４ａ，４ｂ）における前記孔（２１）を介した左右間には、該孔（２１）を覆うように無端状の帯体（１６）を架け渡していることを特徴とする請求項１、２、３又は４記載の身体伸張器具。
【発明の詳細な説明】
【技術分野】
【０００１】
本発明は、身体における頚椎や関節などを伸ばすことが可能な伸張器具に関するものである。
【背景技術】
【０００２】
整形外科や接骨院など、身体の各部を牽引し且つ伸張するための機器を設置している施設は数多くあり、これらは治療や健康増進、あるいはリハビリテーションなどの様々な目的をもった利用者に活用されている。
【特許文献１】特開平１１−２８５５４８号公報（１頁目、図１）
【発明の開示】
【発明が解決しようとする課題】
【０００３】
しかしながら前述したような従来機器にあっては、ほとんどが電動であると共に比較的大掛かりな構造であったため、一般の使用者が入手するには非常に高価であると共に、仮に入手しても自室において設置時の占有スペースを要することから、手軽に利用できる身体伸張器具の登場が待たれていた。
【０００４】
さらに従来のこの種の機器は、両足を同時に動かすと共に該両足を固定する箇所までもが同一の場合がほとんどであり、単に身体を伸ばすという画一的なコンセプトで製造されていたことから、様々な使用者の体型・使用形態に幅広くマッチしたものではなかった。
【０００５】
本発明は上記課題を鑑みてなされたものであり、様々な使用者の体型や使用状態に対応するとともに、健康増進を図ろうとする者が手軽に利用できる身体伸張器具を提供することにある。
【課題を解決するための手段】
【０００６】
本発明の請求項１記載の発明は、使用者が横たわるための寝台と、当該使用者の足先を保持するための足側固定部とから構成し、前記寝台における使用者の頭が位置する箇所には、当該使用者の顎を保持して前記箇所に留めておくための保持部材を具備しており、前記足側固定部は、各足先を保持するための各足掛止部と、当該各足掛止部から前方に向けて延長し且つ使用者が横たわった状態のまま手で握ることができる各ハンドルと、当該各ハンドルに連動し且つ前記各足掛止部を前後動可能な状態に支える基部とからなり、当該各足掛止部の下面には上支持体を配設する一方、基部の上面には前記上支持体に相対向する下支持体を配設し、さらに上支持体と下支持体との間には球体を介在し、前記上支持体には、上向きに窪み且つ前後に延長した上ガイド穴を、また下支持体には下向きに窪み且つ前後に延長した下ガイド穴をそれぞれ設け、前記球体が各ガイド穴にそれぞれ当接しており、前記基部の上面側における下支持体の左右いずれかの箇所の前後側に各々配設した各起立部材と、当該各起立部材間に架設する規制部材と、各足掛止部下面側に備えた垂下部材と、該垂下部材において各足掛止部下面側との間に前記規制部材を上下に挟むように取り付けられ且つ該規制部材に沿って前記各足掛止部とともに移動可能とする滑り部材とを備えていることを特徴とする。
【０００７】
ここで前後とは、使用者が寝台に横たわった状態を基準としており、より具体的には頭側を前側とし、足先側を後側としたものである。また寝台に備えられる保持部材は、使用者の首を締め付けることなく、足先側への牽引力に対して頭が抜け出さないような態様であればよく、例えば、使用者の顎を保持できるように、その中間部分が例えるならマスクのように幅広に形成されたバンドなどが挙げられる。さらに足掛止具の態様については、使用時に加わる牽引力に対し、使用者の足先が抜け出ないようなものであれば特に限定するものではない。またハンドルは使用者が寝台の上に横たわった際、その握り部分が使用者の手の届く位置にあればよく、より好ましくはハンドルの長さの調節や、あるいは当該ハンドルの角度調節などができればよい。また寝台と足側固定部とは、一体または別体どちらの形態であってもよく、そのどちらであっても同様の使用感が得られる。また寝台は、使用者の寝心地を考慮して身体との接触面の凹凸が少ない態様のものが好まれる。また規制部材については、垂下部材、滑り部材と合わせて、基部から各足掛止部を前後動させながら、当該各足掛止部の抜け出しを防止できるものであればよいから、具体的にレール材や棒材等を用いて、足掛止部の軌道に沿った形状をなすものが適用される。さらに滑り部材は、規制部材の底部に掛かると共に、該規制部材に沿って滑らかに接触するものであればよく、例えば平滑な板材や丸棒、ローラー等が挙げられる。
【０００８】
以上のように形成すると、寝台の上に横たわった使用者はまず、頭を保持部材によって顎をかけるような状態で位置決めする一方、両足先を足側固定部の対応する各足掛止部に保持し、さらに当該各足掛止部から伸びる各ハンドルをそれぞれ握って初期位置につく。そして使用者は任意のハンドルを自身の足先の側へ押し出すような操作を行うことで、上下ガイド穴間に介在する球体が転がって足掛止部が基部から後側にスライドし、これとともに、顎を保持された状態にある使用者の身体は、前述した足掛止部の動きに連動して対応する側の足先が後側へと牽引される。
【０００９】
本発明のうち請求項２記載の発明では、前記寝台における使用者が横たわった際の臀部が位置する箇所には、当該臀部を左右に揺らす腰揺動部を備えており、前記腰揺動部は、座板と底板とを上下に重ねてなり、前記底板の天面側において配設した下支持体と、前記座板の底面側における当該下支持体に相対向する上支持体と、当該上下各支持体間に介在する球体とを備え、座板と底板との間に設ける上支持体は、上向きに窪み且つ前後に延長した上ガイド穴を、また下支持体には下向きに窪み且つ前後に延長した下ガイド穴をそれぞれ設け、前記球体が上下各ガイド穴にそれぞれ当接しており、前記底板天面側における下支持体の前後いずれかの箇所の左右側に各々配設した各起立部材と、当該各起立部材間に架設する規制部材と、座板座面側に備えた垂下部材と、該垂下部材において座板底面側との間に前記規制部材を上下に挟むように取り付けられ且つ該規制部材に沿って前記座板とともに移動可能とする滑り部材とを備えていることを特徴とするので、使用時、ハンドルを操作していずれかの足掛止部を後方に押し出した後、使用者は腰揺動部の座板に乗せた自身の臀部を左右側に揺らすことで、足先をより伸ばすことができる。
【００１０】
ここで腰揺動部は、寝台とは別体に形成してもよいし、また寝台の一部を底板の代わりとして共用し、そこに左右動可能な状態で座板を備えたものであってもよい。さらに腰揺動部と寝台とは、一体あるいは別体いずれの態様であってもよい。
【００１１】
本発明のうち請求項３記載の発明のように、前記寝台における使用者が横たわった際の臀部が位置する箇所には、当該臀部を左右に揺らす腰揺動部を備えており、前記腰揺動部は、座板と中板と底板とを上下に三段重ねてなり、前記中板及び底板の各天面側において各々配設した各下支持体と、前記中板及び底板の底面側における当該各下支持体に相対向する上支持体と、当該各上下支持体間に介在する球体とを備え、座板と中板との間に設ける上支持体は、上向きに窪み且つ前後に延長したガイド穴を、また下支持体には下向きに窪み且つ前後に延長した下ガイド穴をそれぞれ設け、前記球体が上下各ガイド穴にそれぞれ当接しており、また中板と底板との間に設ける前記上支持体は、上向きに窪み且つ左右に延長した上ガイド穴を、また下支持体には下向きに窪み且つ左右に延長したガイド穴をそれぞれ設け、前記球体が上下各ガイド穴にそれぞれ当接しており、前記中板天面側における下支持体の前後いずれかの箇所の左右側に各々配設した各起立部材と、当該各起立部材間に架設する規制部材と、座板底面側に備えた垂下部材と、該垂下部材において座板底面側との間に前記規制部材を上下に挟むように取り付けられ且つ該規制部材に沿って前記座板とともに移動可能とする滑り部材とを備え、また前記底板天面側における下支持体の左右いずれかの箇所の前後側に各々配設した各起立部材と、当該各起立部材間に架設する規制部材と、中板底面側に備えた垂下部材と、該垂下部材において中板底面側との間に前記規制部材を上下に挟むように取り付けられ且つ該規制部材に沿って前記中板とともに移動可能とする滑り部材とを備えていることを特徴とする。
【００１２】
座板と中板とをストッパーなどを用いて連結することで、中板上における座板の前後への揺れ動きが規制され、これにより座板は左右側へのみ揺れ動き、請求項２に記載したものと同様に作用させられる。
【００１３】
以上のように形成すると、座板は中板上において前後へ、そして当該座板及び中板は底板上において左右へ使用者の意図する側へ自在に揺れ動き、しかも各板による多彩な揺れの組み合わせによって、使用者の臀部が足掛止部の後方への動きと連動して円運動を行い、足先への牽引力と同時に加わる腰部への牽引力をスムーズに促すことができる。
【００１４】
本発明のうち請求項４記載の発明のように、前記各足掛止部間には、各足掛止部を個々に独立して前後動させるか、又は当該各足掛止部を同時に前後動させるのかを適宜切り替えられる連結具を介在しているので、例えば前記連結具を解除すれば、左右の各足掛止部を個々に独立して動かすことができ、また連結状態とすれば各足掛止部を同時に動かすことができる。
【００１５】
ここで連結具としては、使用時に身体に触れることなく、しかも操作のしやすいシンプルな構造であればよく、例えば、一方の足掛止部に備えたリング状の受部材に対し、他方に備えた掛け部材で引っ掛けるような態様の連結金具などが適用される。
【００１６】
本発明のうち請求項３記載の発明のように、前記各足掛止部における使用者の足先を保持する箇所には、上下に貫通した孔を設け、足掛止部における前記孔を介した左右間には、該孔を覆うように無端状の帯体を架け渡しているので、使用者が帯体の撓みを利用して足先を絡ませられ、しかも当該足先が帯体とともに孔に沈み込むことで、使用者の足先への保持力が増し、結果、使用時に足先が抜け出ることなく安定した使用がなされる。
【００１７】
ここで帯体は、例えば綿素材や網等の一定の通気性を有するものであることが望ましい。また孔は使用者の足先が入り込むほどの大きさが確保されていればよく、その形状や大きさは特に限定しないが、足先への接触を考慮し、角や縁が丸みを帯びるように形成してあることが望ましい。
【発明の効果】
【００１８】
本発明のうち請求項１記載の発明によれば、使用者自身の力によって身体を相反する方向に牽引でき、しかもコンパクトな構造であるから、自宅などのプライベートな場所で手軽に健康の増進が図れる。
【００１９】
また、あくまでも使用者自身の力で牽引がなされることから、従来ある電動式のもののように使用者の身体の許容を超えるような無理な力がかからず、使用者側で牽引の度合いを加減できるので、安全且つ快適な使用感を得られる。
【００２０】
本発明のうち請求項２及び３記載の発明によれば、請求項１記載の発明の効果に加えて、足先は勿論のこと、腰部においても伸張効果を付与することができ、より一層効率的に健康増進を図れることとなる。
【００２１】
本発明のうち請求項４記載の発明によれば請求項１、２及び３記載の発明の効果に加えて、片足のみの牽引を行うか、又は両足同時に牽引を行うかの切り替えが自由に選択できるので、使用者の好みにより一層マッチした利用ができる。
【００２２】
また請求項５記載の発明によれば、請求項１、２、３及び４記載の発明の効果に加えて、足掛止部において使用者の足先を保持した際に、帯体の撓みによって当該足先への確かな保持力が付与されるので、使用者は快適なホールド感を得られるのは勿論、本身体伸張器具の使用時に足先が抜け出すような不安を抱くことがなく、使用者は快適性と確実な安心感をそれぞれ得らえることとなる。
【発明を実施するための最良の形態】
【００２３】
以下、本発明による身体伸張器具の実施の形態を各図面に基づいて説明する。
【００２４】
本身体伸張器具は図１及び図５のように、使用者Ｕの頭を保持するための頭側固定部２と、使用者Ｕの両足先Ｆａ，Ｆｂを各々保持するための足側固定部３と、頭側／足側の各固定部２，３をそれぞれ前後側の各端縁に連結する背板１とから構成したものである。
以下に、本身体伸張器具を構成する各部１，２，３の詳細な説明を行う。
尚、文中では、図中において左右に記載されている場合であっても、請求項に対応して使用者Ｕの頭側を前、足先Ｆａ，Ｆｂ側を後として説明しており、以後の該当箇所には括弧書きで補足文を記載している。
【００２５】
まず背板１は、全体が方形をなすものであり、その上面側は、使用者Ｕが横たわった際に凹凸の少ないフラットな状態に形成されている。
尚、符号２９に示す各長孔は、使用者Ｕが定位置についた際のズレ止めの効果と、本身体伸張器具の軽量化とを考慮したものである。
【００２６】
次に頭側固定部２は、図示はされないが、２枚の板体を上下に合わせると共に、各板体間の前側にスペーサー３０を介在しており、使用者Ｕを支える面には背板１から離れるに従って持ち上がるような勾配がつけられている。また前記頭側固定部２は後述で詳細に説明するが（図４（ａ）（ｂ）参照）、背板１の前側において掛金具１９ａ，１９ｂを介して連結され、使用者Ｕが横たわった際には、頭を持ち上げるような状態となる。また頭側固定部２の前部上面には、傘付きの金属棒１８，１８が２本左右に間隔をあけて突き立ててあり、さらに各金属棒１８，１８間には、撓んだ状態で布製のバンド２２が架け渡してある。また前記バンド２２の中央には、使用者Ｕの顎Ｈを包むような態様をなすマスク２３を備えており、本身体伸張器具の使用時においてバンド２２が、使用者Ｕの首にかからないような構造となっている。
尚、各金属棒１８，１８の傘は、バンド２２の不意な抜け出しを防止するためのものである。
【００２７】
次に足側固定部３は、使用者Ｕの両足先Ｆａ，Ｆｂをそれぞれ保持し且つ左右に配設された各足掛止部４ａ，４ｂと、当該各足掛止部４ａ，４ｂが上下各支持体７，８を介して前後方向へのスライドを個々に独立して行えるように支える支持板６と、各足掛止部４ａ，４ｂの操作を行うための各ハンドル５ａ，５ｂとから構成したものである。
【００２８】
まず足掛止部４ａ，４ｂは、中央に刳り貫き孔２１を有する枠体の縁に、縦並びに３本の帯体１６，１６，１６を架け渡して形成されたものである。そして前記各帯体１６，１６，１６のうち、使用者Ｕの体型に合ったいずれかの帯体１６に足首を引っ掛けるようにし、この帯体１６の絡まりによって足先Ｆａ，Ｆｂを抜け出ないようにホールドしている。さらに前記足掛止部４ａ，４ｂの刳り貫き孔２１の左右の各縁部には、前方に延長した棒状をなすハンドル５ａ，５ｂが、前後への回転が可能な状態でそれぞれ軸支してあり、さらにハンドル５ａ，５ｂの先端部には、使用者Ｕが手Ｋａ，Ｋｂで握りやすいように膨大状のゴム製のグリップ２４を備えている。また図示はしないが、各足掛止部４ａ，４ｂの後部側には、支持板６に連結するコイルスプリングが各々備えてあり、使用者Ｕが自身の足先Ｆａ，Ｆｂを伸ばす際、引っ張る方向に当該コイルスプリングの付勢力を働かせて、各ハンドル５ａ，５ｂの押し出し操作時の補助的な機能を果たしている。
尚、本実施形態では各足掛止部４ａ，４ｂに架け渡す帯体１６の本数を３本としているが、これは様々な使用者Ｕの体格の差を考慮したものであり、従って、帯体１６を架け渡す本数については設計者側で適宜変更される。
【００２９】
次に、支持板６において各足掛止部４ａ，４ｂを前後動させる機能部分について説明する。
まず各足掛止部４ａ，４ｂと支持板６の間には図２（ａ）（ｂ）及び図３（ａ）（ｂ）のように、各足掛止部４ａ，４ｂ底面側の前後に延長したブロック状をなす上支持体７を備える一方、支持板６の天面側における前記上支持体７との対応箇所には、同じくブロック状をなす下支持体８を備えている。そして上支持体７の下面側と下支持体８の上面側には、断面凹溝状の上下各ガイド穴１０ａ，１０ｂをそれぞれ設けており、さらに上下各ガイド穴１０ａ，１０ｂ間には球体９が介在し、この球体９の転がりによって支持板６からの各足掛止部４ａ，４ｂの前後方向へのスライドを可能としている。
【００３０】
そして前述した上下各支持体７，８の左右側には図３（ｂ）のように、支持板６天面側の前後（図中では左右に）に間隔をあけた２箇所において起立部材１１，１１をそれぞれ設けてあり、さらに各起立部材１１，１１間には、規制部材１２が架け渡してある。一方、各足掛止部４ａ，４ｂの各々の底面側には図２（ｂ）のように、前記規制部材１２を挟むように２枚の垂下部材１３，１３が各々配設してあり、さらに前記各垂下部材１３，１３の下端部間には縦に回転するローラー１４を軸支し、各足掛止部４ａ，４ｂの下面側も含めて規制部材１２を囲む状態となっている。
尚、上下各支持体７，８と規制部材１２との間隔は、前記ローラー１４及び垂下部材１３，１３が互いに干渉することのない位置関係にあり、これにより各足掛止部４ａ，４ｂは、支持板６上において前後方向へのスムーズなスライドが可能となる。
【００３１】
次に各ハンドル５ａ，５ｂは、長手の金属棒の先端部にゴム製の握り２４を備えたものである。そして前記ハンドル５ａ，５ｂの基端側は、対応する各足掛止部４ａ，４ｂの外側面に各々ピン３１ａ，３１ｂ止めされており、このピン３１ａ，３１ｂを軸として各ハンドル５ａ，５ｂが縦回転させられるようになっており、使用時において使用者Ｕの手Ｋａ，Ｋｂの動きに対応するしくみになっている。また各ハンドル５ａ，５ｂは、背板１の両側縁にそれぞれ備えた各ストッパー２８ａ，２８ｂに係止でき、これにより本身体伸張器具の未使用時において、各ハンドル５ａ，５ｂが不用意に回転することがなくなる（図１参照）。
【００３２】
図４（ａ）（ｂ）は、頭側固定部２と背板１との連結部分を拡大したものである。背板１側にはフック状の金具１９ａが備えてあり、また頭側固定部２と足側固定部３には、前述したフック状金具１９ａと係合可能な受金具１９ｂが備わっており、本身体伸張器具を構成する各部１，２，３間の使用時における不意な離脱が防がれているとともに、未使用時には容易に脱着でき、本身体伸張器具の持ち運びや設置時の省スペース化に考慮してある。
尚、背板１と足側固定部３との連結も、上記した頭側固定部２と背板１との連結状態と同一のものであるから、ここでは説明を省略した。
【００３３】
以上のように形成した本身体伸張器具を実際に使用する際には図５に示すように、まず使用者Ｕが頭側固定部２、背板１、そして足側固定部３に跨って横たわり、顎Ｈにマスク２３をかけた状態で頭部固定部２のバンド２２により頭を保持する一方、両足先Ｆａ，Ｆｂを対応する各足掛止部４ａ，４ｂの帯体１６にそれぞれ引っ掛け、当該各足掛止部４ａ，４ｂから各々延長するハンドル５ａ，５ｂを握って使用前の初期位置につく。次に、各足掛止部４ａ，４ｂ間の連結金具１５の可動片２６を突起２５から外し、当該各足掛止部４ａ，４ｂが個々に前後動可能な状態にあることを確認した後、任意のハンドル５ａ，５ｂを押し出すような操作を行う。これにより使用者Ｕの一方の足先Ｆａ，Ｆｂが伸ばされると共に、例えば両足先Ｆａ，Ｆｂを保持する位置を左右相違する状態で設定できる等、様々な体型の使用者Ｕに対応した使用が可能となる。また両足先Ｆａ，Ｆｂを同時に伸ばしたい場合には図６（ａ）（ｂ）のように、前記連結金具１５の可動片２６の通し孔２７に、足掛止部４ｂから上方に突出する突起２５を差し込んでロック状態とすることで、各足掛止部４ａ，４ｂが一体化する。これにより両側の各ハンドル５ａ，５ｂ、又は片側のハンドル５ａ，５ｂのみを押し出すことで、各足掛止部４ａ，４ｂが同時に支持板６から前後にスライドし、従来ある身体伸張器具のような使い方も可能となる。
【００３４】
図７と図８（ａ）（ｂ）に示すものは、本身体伸張器具に腰揺動部を備えたものである。
この腰揺動部は図に示すように、使用者Ｕの腰掛ける座板３３と中板３４と底板３５を上下に三段に重ねており、さらに座板３３の中央には、臀部の大きさに対応した受孔３７が空き、その受孔３７には無端状をなす腰掛用の帯体３９が架け渡してある。
尚、符号３６は、本腰揺動部３２を背板１上にずれることなく置くための位置決め部材である。
【００３５】
また座板３３と中板３４、当該中板３４と底板３５との間には、それぞれ上支持体４０，４２と下支持体４１，４３及び、起立部材４８ａ，４８ｂ規制部材４９ａ，４９ｂが介在している。さらに詳しく説明すると、座板３３と中板３４との間の上下各支持体４０，４１には、上ガイド穴４６ａと下ガイド穴４７ａを、それぞれ前後方向に延長するように設けており、また、前記中板３４と底板３５との間の上下各支持体４２，４３においても上ガイド穴４６ｂと下ガイド穴４７ｂを、それぞれ左右方向に延長するように設けている。
このように形成すると図９（ａ）（ｂ）のように、座板３３は中板３４の前後方向に、そして前記中板３４は底板３５の左右方向にそれぞれ揺動するので、座板３３を前後左右組み合わされた多彩なパターンで揺れ動かすことができ、各足掛止部４ａ，４ｂの動きと連動して、腰に牽引力を付与できる。
【００３６】
また、座板３３と中板３４との間のストッパー３８におけるロック／解除の切り替えによって、座板３３の動きを座板３３と中板３４との組み合わせによる回転、又は座板３３の左右側のみの揺れ動きへと適宜行える。さらに詳しくは、前記ストッパー３８がロック状態にあるとき、座板３３と中板３４とがストッパー３８の掛かりによって同時に動くと共に、当該座板３３が中板３４に固定されて前後方向への動きが規制されることとなる。
【図面の簡単な説明】
【００３７】
【図１】本発明の身体伸張器具の平面図である。
【図２（ａ）（ｂ）】（ａ）は図１のＡ−Ａ線の縦断面図であり、（ｂ）は図２（ａ）中のＢを拡大して示す説明図である。
【図３（ａ）（ｂ）】（ａ）は、本身体伸張器具の使用時における球体の転がる作動状態を示す側面図であり、（ｂ）は同じく、本身体伸張器具の使用時における規制部材・滑り部材の作動状態を示す縦断面図である。
【図４（ａ）（ｂ）】頭側固定部と背板の連結部分を拡大して示す縦断面図である。
【図５】本身体伸張器具の使用状態を示す平面図である。
【図６（ａ）（ｂ）】それぞれ各足掛止部間の連結具の使用状態を示す説明図である。
【図７】本身体伸張器具の他の実施形態を示す平面図である。
【図８（ａ）（ｂ）】（ａ）は図７のＣ−Ｃ線縦断面図であり、（ｂ）は同じく図７のＤ−Ｄ線縦断面図である。
【図９（ａ）（ｂ）】図７の身体伸張器具の実際の使用状態を示す平面図である。
【符号の説明】
【００３８】
１  背板（寝台）
２  頭側固定部（寝台）
３  足側固定部
４ａ，４ｂ  足掛止部
５ａ，５ｂ  ハンドル
６  支持板（基部）
７，４０，４２  上支持体
８，４１，４３  下支持体
９，４４ａ，４４ｂ  球体
１０ａ，４６ａ，４６ｂ  上ガイド穴
１０ｂ，４７ａ，４７ｂ  下ガイド穴
１１，４８ａ，４８ｂ  起立部材
１２，４９ａ，４９ｂ  規制部材
１３，５０ａ，５０ｂ  垂下部材
１４，５１ａ，５１ｂ  ローラー（滑り部材）
１５  連結金具（連結具）
２１  刳り貫き孔（孔）
２２  バンド（保持部材）
２３  マスク（保持部材）
３２  腰揺動部
３３  座板
３４  中板
３５  底板
Ｕ  使用者
Ｆａ，Ｆｂ  足先
Ｋａ，Ｋｂ  手
Ｈ  顎
【図１】
2006122108.tif 000003
【図２】
2006122108.tif 000004
【図３（ａ）（ｂ）】
2006122108.tif 000005
【図４（ａ）（ｂ）】
2006122108.tif 000006
【図５】
2006122108.tif 000007
【図６（ａ）（ｂ）】
2006122108.tif 000008
【図７】
2006122108.tif 000009
【図８（ａ）（ｂ）】
2006122108.tif 000010
【図９（ａ）（ｂ）】
2006122108.tif 000011